(57)【特許請求の範囲】
【請求項１】
窓枠内のＶＩＧ窓ユニットであって、前記窓枠は、前記ＶＩＧ窓ユニットより大きい厚さを有する非真空ＩＧ窓ユニットを支持できる、ＶＩＧ窓ユニットと、
第１ガラス基板、第２ガラス基板、及びその間に配置された大気圧未満の圧力の低圧の間隙を含む前記ＶＩＧ窓ユニットと、
前記窓枠の第１係止部によって前記第２ガラス基板の外表面である第１主面上に直接支持され、前記窓枠の第２係止部によって前記第１ガラス基板の外表面である第２主面上に間接的に支持される前記ＶＩＧ窓ユニットであって、前記ＶＩＧ窓ユニットと前記第２係止部との間の前記ＶＩＧ窓ユニットの第２主面上にスペーサが提供されるが、前記ＶＩＧ窓ユニットの第１主面上には同様のスペーサが提供されない、前記ＶＩＧ窓ユニットと、
を含み、
前記スペーサの第１コーナー及び第２コーナーは、前記ＶＩＧ窓ユニットに直接接触し、
前記スペーサの前記第１コーナー及び前記第２コーナーのうち少なくとも１つは、第１ポリマー系物質及び第２ポリマー系物質を含み、前記第１ポリマー系物質は、前記第２ポリマー系物質より軟質であり、前記第２ポリマー系物質でない前記第１ポリマー系物質は、前記スペーサの前記第１コーナー及び前記第２コーナーのうち少なくとも１つで前記ＶＩＧ窓ユニットに直接接触する、
窓ユニット。
【請求項２】
前記スペーサは、断面として見ると、固形部分によって囲まれた中空領域を含む、
請求項１に記載の窓ユニット。
【請求項３】
前記中空領域は、空気、発泡体、及び／又は断熱材で実質的に充填される、
請求項２に記載の窓ユニット。
【請求項４】
前記ＶＩＧ窓ユニットと前記第１係止部との間の前記ＶＩＧ窓ユニットの第１主面上には、スペーサが提供されずに、前記ＶＩＧ窓ユニットと前記第１係止部との間の前記ＶＩＧ窓ユニットの第１主面上には、接着剤が提供される、
請求項１〜３のいずれか一項に記載の窓ユニット。
【請求項５】
前記ＶＩＧ窓ユニットは、周囲４辺を含み、前記スペーサは、実質的に前記ＶＩＧ窓ユニットの周囲４辺の全てに沿って提供される、
請求項１〜４のいずれか一項に記載の窓ユニット。
【請求項６】
前記スペーサは、実質的に前記ＶＩＧ窓ユニットの周囲４辺の各々に沿って提供される、４つのストリップ片を含む、
請求項５に記載の窓ユニット。
【請求項７】
接着剤は、前記ＶＩＧ窓ユニットと前記第１係止部との間に位置するように前記ＶＩＧ窓ユニットの第１主面上に提供される、
請求項１〜６のいずれか一項に記載の窓ユニット。
【請求項８】
前記第１係止部及び前記第２係止部は、互いに実質的に平行な方向に延びる、
請求項１〜７のいずれか一項に記載の窓ユニット。
【請求項９】
前記第１係止部及び前記第２係止部のうち少なくとも１つは、断面として見ると、固形部分によって囲まれた中空の空間を含み、前記第１係止部及び前記第２係止部のうち少なくとも１つの前記中空の空間は、空気及び／又は発泡体で充填又は実質的に充填される、
請求項１〜８のいずれか一項に記載の窓ユニット。
【請求項１０】
前記スペーサは、断面として見ると、ほぼ長方形の形状を有する、
請求項１〜９のいずれか一項に記載の窓ユニット。
【請求項１１】
前記スペーサの前記第１コーナー及び前記第２コーナーの間に位置して、前記ＶＩＧ窓ユニットに対向する前記スペーサの一部は、前記ＶＩＧ窓ユニットに直接接触しない、
請求項１〜１０のいずれか一項に記載の窓ユニット。
【請求項１２】
前記ＶＩＧ窓ユニットは、前記第１ガラス基板と前記第２ガラス基板との間の前記低圧の間隙内に位置する複数のスペーサ、及び実質的に前記低圧の間隙を大気圧未満圧力で保持するために、前記ＶＩＧ窓ユニットの周辺を気密封止するように前記第１ガラス基板と前記第２ガラス基板との間に提供される端部シールを含む、
請求項１〜１１のいずれか一項に記載の窓ユニット。
【請求項１３】
（ｉ）前記ＶＩＧ窓ユニットと前記窓ユニットのサッシ部との間、及び（ｉｉ）前記スペーサと前記窓ユニットのサッシ部との間に位置するセッティング部材をさらに含む、
請求項１〜１２のいずれか一項に記載の窓ユニット。
【請求項１４】
前記ＶＩＧ窓ユニットの下側、及び前記スペーサの下側に前記窓ユニットの底面に位置するセッティング部材をさらに含む、
請求項１〜１２のいずれか一項に記載の窓ユニット。
【請求項１５】
前記ＶＩＧ窓ユニットは、厚さが４〜１２ｍｍで、前記第１係止部と前記第２係止部との間の間隙は、１９〜４０ｍｍである、
請求項１〜１４のいずれか一項に記載の窓ユニット。
【請求項１６】
窓枠内のＶＩＧ窓ユニットであって、前記窓枠は、前記ＶＩＧ窓ユニットより大きい厚さを有する非真空ＩＧ窓ユニットを支持できる、ＶＩＧ窓ユニットと、
第１ガラス基板、第２ガラス基板、及びその間に配置された大気圧未満の圧力の低圧の間隙を含む前記ＶＩＧ窓ユニットと、
前記窓枠の第１係止部と前記窓枠の第２係止部との間に位置する前記ＶＩＧ窓ユニットと、
前記ＶＩＧ窓ユニットと前記第１係止部との間に提供される第１スペーサ、及び前記ＶＩＧ窓ユニットと前記第２係止部との間に提供される第２スペーサと、
を含み、
前記第１スペーサと前記第２スペーサの各々の少なくとも１つのコーナーは、前記ＶＩＧ窓ユニットに直接接触する、
前記ＶＩＧ窓ユニットに直接接触する少なくとも１つの前記コーナーは、第１ポリマー系物質及び第２ポリマー系物質を含み、前記第１ポリマー系物質は、前記第２ポリマー系物質より軟質であり、前記第２ポリマー系物質でない前記第１ポリマー系物質が少なくとも１つの前記コーナーで前記ＶＩＧ窓ユニットに直接接触する、
窓ユニット。
【請求項１７】
前記第１スペーサ及び前記第２スペーサのうち少なくとも１つは、断面として見ると、固形部分によって囲まれた中空領域を含む、
請求項１６に記載の窓ユニット。
【請求項１８】
前記第１スペーサ及び前記第２スペーサは、断面として見ると、各々固形部分によって囲まれた中空領域を含み、前記中空領域は、各々空気及び／又は発泡体で実質的に充填される、
請求項１７に記載の窓ユニット。
【請求項１９】
前記ＶＩＧ窓ユニットは、周囲４辺を含み、前記第１スペーサ及び前記第２スペーサは、各々前記ＶＩＧ窓ユニットの周囲４辺の全てに実質的に沿って提供される、
請求項１６〜１８のいずれか一項に記載の窓ユニット。
【請求項２０】
前記第１スペーサ及び前記第２スペーサは、各々前記ＶＩＧ窓ユニットの周囲４辺の各々に実質的に沿って提供される４つのストリップ片を含む、
請求項１９に記載の窓ユニット。
【請求項２１】
接着剤は、前記ＶＩＧ窓ユニットと各々の前記第１スペーサ及び前記第２スペーサの間に提供される、
請求項１６〜２０のいずれか一項に記載の窓ユニット。
【請求項２２】
前記第１スペーサ及び前記第２スペーサは、断面として見ると、各々ほぼ長方形の形状を有する、
請求項１６〜２１のいずれか一項に記載の窓ユニット。
【請求項２３】
前記ＶＩＧ窓ユニットは、前記第１ガラス基板と前記第２ガラス基板との間の前記低圧の間隙内に位置する複数のスペーサ、及び実質的に前記低圧の間隙を大気圧未満圧力で保持するために、前記ＶＩＧ窓ユニットの周辺を気密封止するように前記第１ガラス基板と前記第２ガラス基板との間に提供される端部シールを含む、
請求項１６〜２２のいずれか一項に記載の窓ユニット。
【請求項２４】
サッシの少なくとも一部上に前記窓ユニットの底面に位置するセッティング部材をさらに含み、前記セッティング部材は、前記ＶＩＧ窓ユニットの下側、及び前記第１スペーサと前記第２スペーサの下側に位置する、
請求項１６〜２３のいずれか一項に記載の窓ユニット。
【請求項２５】
前記ＶＩＧ窓ユニットは、厚さが４〜１２ｍｍで、前記第１係止部と前記第２係止部との間の間隙は、１９〜４０ｍｍである、
請求項１６〜２４のいずれか一項に記載の窓ユニット。
【請求項２６】
窓枠内に真空断熱ガラス（ＶＩＧ）窓ユニットを設置する方法において、
前記窓枠から１９〜４０ｍｍの厚さを有するＩＧ窓ユニットを除去する工程と、
前記窓枠内に４〜１２ｍｍの厚さを有するＶＩＧ窓ユニットを配置する工程であって、第１ガラス基板、第２ガラス基板、及びその間に配置された大気圧未満の圧力の低圧の間隙を含む前記ＶＩＧ窓ユニットを配置する工程と、を含み、
前記ＶＩＧ窓ユニットは、前記窓枠の第１係止部と前記窓枠の第２係止部との間に位置し、
前記ＶＩＧ窓ユニットと前記窓枠の前記第１係止部及び前記第２係止部のうち少なくとも１つの間にスペーサ構造体が提供され、
前記スペーサ構造体の第１コーナー及び第２コーナーは、前記ＶＩＧ窓ユニットに直接接触し、
前記スペーサ構造体の前記第１コーナー及び前記第２コーナーのうち少なくとも１つは、第１ポリマー系物質及び第２ポリマー系物質を含み、前記第１ポリマー系物質は、前記第２ポリマー系物質より軟質であり、前記第２ポリマー系物質でない前記第１ポリマー系物質は、前記スペーサ構造体の前記第１コーナー及び前記第２コーナーのうち少なくとも１つで前記ＶＩＧ窓ユニットに直接接触する、
窓枠内に真空断熱ガラス（ＶＩＧ）窓ユニットを設置する方法。
【発明の詳細な説明】
【技術分野】
【０００１】
本開示は、真空断熱ガラス（ＶＩＧ）窓ユニットの設置構成、及び一般的に少なくとも厚いＩＧ（断熱ガラス／一体型ガラス）窓ユニットを収容するように設計された窓枠内にＶＩＧ窓ユニットを設置するための方法に関する。特定の実施形態は、少なくとも厚いＩＧ窓ユニットを収容するように設計された窓枠内にＶＩＧ窓ユニットを設置するのに用いられる周辺スペーサーシステムに関し、このような周辺スペーサーシステムは、窓枠に隣接したＶＩＧユニットの周辺に提供される。スペーサーシステムを含むこのような技術は、例えば、新しい窓枠を有する新しい構成内で用いてもよく、すでにＩＧユニットを含む古い窓枠内に既存のＩＧ窓を交換するために用いてもよい。
【背景技術】
【０００２】
真空断熱ガラス（ＶＩＧ）ユニットは、一般的に、離隔された少なくとも２つのガラス基板を備えており、これらガラス基板の間には真空引きした又は低圧の空間／キャビティを含んでいる。基板は、外周端部シールで相互接続されており、一般的に、ガラス基板間の間隔を保持するため及び基板間に既存の低圧環境が原因で生じ得るガラス基板の損傷を回避するためにガラス基板間にスペーサ／支柱が含まれている。いくつかのＶＩＧ構造例は、例えば、米国特許第５，６５７，６０７号、第５，６６４，３９５号、同第５，６５７，６０７号、同第５，９０２，６５２号、同第６，７０１，７４９号、及び同第６，３８３，５８０号に開示されており、これらの開示の内容は、本明細書に参照として含まれる。
【０００３】
図１及び図２は、典型的なＶＩＧ窓ユニット１及びＶＩＧ窓ユニット１の構成要素を表している。例えば、ＶＩＧユニット１は、離隔された２つの実質的に平行なガラス基板２，３を備えていてよく、これらガラス基板の間には真空引きした低圧の空間／キャビティを含んでいる。ガラスシート又は基板２，３は外周端部シール４で相互接続されており、外周端部シールは例えば、溶融はんだガラス等であってよい。基板２，３の間に既存の低圧の空間／間隙６を考慮して、支柱／スペーサ５の配列をガラス基板２，３の間に備えてＶＩＧユニット１の基板２，３の間隔を維持することもある。
【０００４】
排気管８は、例えば、ガラス基板２のうち１つの内表面からガラス基板２の外表面の任意の凹部１１の底面、又は、選択的にガラス基板２の外表面に通じる開口部／穴１０'にはんだガラス９によって気密封止されてもよい。排気管８に吸引装置を取り付け及び／又は連通して、例えば、連続ポンプダウン操作を利用して内部キャビティ６を大気圧未満の低圧まで真空引きする。キャビティ６の真空引き後、排気管８の一部（例えば、先端）を溶融することで低圧キャビティ／空間６を真空密封する。この任意の凹部１１は、封止された排気管８を保持することができる。場合により、一方のガラス基板、例えば、ガラス基板２の内表面に配置された凹部１３にはゲッター材１２が含まれていてもよい。ゲッター材１２は、キャビティ６を真空引きと封止後に残存している可能性のある特定の残留不純物を吸着する、又は特定の残留不純物に結合するために使用され得る。
【０００５】
溶融はんだガラス外周端部シール４の付いたＶＩＧユニットは一般的に、ガラスフリット又は他の適切な材料を溶液状態（例えば、フリットペースト）で基板２（又は基板３）の外縁周囲に配置させることによって製造される。このガラスフリットペーストは最終的に端部シール４を形成する。もう一方の基板（例えば、３）を、２つの基板２，３の間にスペーサ／支柱５とガラスフリット溶液が挟持されるように基板２上に下ろす。次に、ガラス基板２，３、スペーサ／支柱５及びシール材（例えば、溶液又はペースト状態のガラスフリット）を備える組立品全体を少なくとも約５００℃の温度まで加熱することで、ガラスフリットが溶融してガラス基板２，３の表面を濡らし、そして最終的に気密性の外縁／端部シール４となる。
【０００６】
基板間に端部シール４を形成した後、排気管８を介して真空にすることで基板２，３間に低圧の空間／キャビティ６を形成する。空間６内の圧力は、真空引き工程によって大気圧未満、例えば、約１０−２Ｔｏｒｒ未満の程度にしてよい。空間／キャビティ６内の低圧を保持するために、基板２，３は、端部シール４と排気管の閉鎖によって気密封止する。小さな高強度スペーサ／支柱５を透明ガラス基板の間に配置することで、大気圧下でほぼ平行なガラス基板の分離を維持する。上述の通り、基板２，３間の空間６を真空引き後、排気管８は、例えば、レーザなどを用いてその先端を溶融させることによって封止してよい。
【０００７】
二重窓ＶＩＧ窓ユニットは、一般的に従来の二重窓非真空断熱ガラス窓ユニットよりはるかに効率的な断熱材である。ＶＩＧ窓ユニットは、良好な性能を有しながらも非真空断熱ガラス窓ユニットよりも著しく薄い。このような厚さの違いのために、従来の窓設置構造体、例えば、窓枠（例えば、サッシ）が元々厚いＩＧユニットのために設計された場合、ＶＩＧ窓ユニットを効果的に用いて収容するように再設計する必要が生じ得る。したがって、薄いＶＩＧユニットを収容するために窓枠（例えば、サッシを含んでもよい）の交換を必要とすることがある。ＶＩＧ窓ユニットは、関連する多くの利益及び利点にもかかわらず、窓構造体の再設計及び窓枠（例えば、サッシ）の交換及び／又は再設計には費用や時間がかかるため、特に小規模の製造業者が従来の建物にＶＩＧ窓ユニットを適用するのを遅らせる原因となっている。
【０００８】
標準ＩＧ窓ユニットは、やや厚く様々な厚さ（例えば、約１９〜４０ｍｍ）を提供することが分かる。上記のように、一般的に事務室、住宅、アパートなどに用いるためには、このような厚いＩＧ窓ユニットを収容する窓枠が設計される。一方、ＶＩＧ窓ユニットは、一般的なＩＧ窓ユニットよりかなり薄い（例えば、約４〜１２ｍｍ、好ましくは約４〜１０ｍｍ、さらに好ましくは約７〜９ｍｍ、例えば、厚さ約８．３ｍｍ）。また、ＶＩＧユニットの熱性能は、ＩＧ窓ユニットより顕著に優れている（例えば、ＶＩＧユニットのＲ値は、ＩＧユニットのＲ値より高い）。
【発明の概要】
【発明が解決しようとする課題】
【０００９】
ＩＧユニットを収容するように設計された窓枠内にＶＩＧユニットを用いることが好ましい。これは、窓枠の再設計及び／又は窓枠を変更する必要性の回避又は低減を可能にする。
【課題を解決するための手段】
【００１０】
本発明の特定の実施形態例は、少なくとも厚いＩＧユニット窓ユニットを収容するように設計された窓枠（サッシを含める）内にＶＩＧ窓ユニットを設置するのに用いる周辺スペーサーシステムに関し、このような周辺スペーサーシステムは、窓枠に隣接して位置し、及び／又はＶＩＧユニットのガラス基板と窓枠との間に位置するようにＶＩＧユニットの周辺に提供される。スペーサーシステムは、ＶＩＧユニットのガラス基板の周辺に、好ましくは一枚以上の窓の４つの辺に嵌めることができる。したがって、スペーサーシステムに対して、厚いＩＧ窓ユニットのために設計された窓枠内にさらに薄いＶＩＧ窓ユニットを設けることで、窓枠の再設計又は著しく窓枠を変更する必要性を回避又は低減する構造体及び／又は技術が提供される。このような技術は、例えば、新しい窓枠を有する新しい構成内で用いたり、すでにＩＧユニットを含む古い窓枠内で従来のＩＧ窓を交換するために用いたり、既存のＩＧ又はＶＩＧ窓をＶＩＧ窓ユニットに交換することによって既存のＩＧ又はＶＩＧ窓ユニットを修理するのに用いてもよい。したがって、本開示は、既存の窓枠内のＩＧ窓をＶＩＧ窓に交換することに制限されず、例えば、さらに新しいＶＩＧ窓ユニットに対して設計される構造体にも関係することが理解できる。
【００１１】
本発明の特定の実施形態例は、（ｉ）改善された熱性能を含む高効率高性能ＶＩＧ窓ユニットの適用、（ｉｉ）窓製造者によってＶＩＧ窓ユニットを適用する時間の減少、及び／又はＶＩＧの迅速な適用及び／又は配置、（ｉｉｉ）窓枠（例えば、サッシを含む）構造体をほぼ又は全く変更せずに厚いＩＧユニットのために設計された窓設計内においてＶＩＧ窓ユニットを実現可能とすることの提供、（ｉｖ）小規模な窓製造者がＶＩＧ窓ユニットを適用可能とすることの提供、（ｖ）窓製造者に必要なツールの減少、（ｖｉ）窓の特徴及び／又は美的概観の維持、及び／又は（ｖｉｉ）厚いＩＧユニットのために設計された窓枠に収まるようにＶＩＧガラス基板周辺に位置するスペーサーシステムの提供、のうち１つ以上に対する利点を有する。このようなスペーサーシステムは、（ａ）改善された断熱を提供し、（ｂ）製造設備を窓工場及び／又は作業現場に搬送する間にユニットを保護するのを助け、（ｃ）ＶＩＧユニットに強度／完全性を付加し、及び／又は（ｄ）その端部でＶＩＧユニットの熱性能を改善する。
【００１２】
本発明の特定の実施形態例において、窓ユニットが提供され、窓ユニットは、窓枠内のＶＩＧ窓ユニット（窓枠は、ＶＩＧ窓ユニットより大きい厚さを有する非真空ＩＧ窓ユニットを支持できる）と、第１ガラス基板、第２ガラス基板、及びその間に配置された大気圧未満の圧力の低圧の間隙を含むＶＩＧ窓ユニットと、前記窓枠の第１係止部によって第１主面上に直接支持されて前記窓枠の第２係止部によって第２主面上に間接的に支持されるＶＩＧ窓ユニット（スペーサは、ＶＩＧ窓ユニットと第２係止部との間に提供されるＶＩＧ窓ユニットの第２主面上に提供されるが、いかなる類似のスペーサもＶＩＧ窓ユニットの第１主面上には提供されない）とを含む。
【００１３】
本発明の特定の実施形態において、窓ユニットが提供され、窓ユニットは、窓枠内のＶＩＧ窓ユニット（窓枠は、ＶＩＧ窓ユニットより大きい厚さを有する非真空ＩＧ窓ユニットを支持できる）と、第１ガラス基板、第２ガラス基板、及びその間に配置された大気圧未満の圧力の低圧の間隙を含むＶＩＧ窓ユニットと、前記窓枠の第１係止部と前記窓枠の第２係止部との間に位置するＶＩＧ窓ユニットと、ＶＩＧ窓ユニットと第１係止部との間に提供された第１スペーサ、ＶＩＧ窓ユニットと第２係止部との間に提供された第２スペーサとを含む。
【００１４】
本発明の特定の実施形態例において、真空断熱ガラス（ＶＩＧ）窓ユニットを設置する方法において、前記方法は、窓枠から約１９〜４０ｍｍの厚さを有するＩＧ窓ユニットを除去することと、窓枠内に約４〜１２ｍｍの厚さを有するＶＩＧ窓を配置する工程において、ＶＩＧ窓ユニットは、第１ガラス基板、第２ガラス基板、及びその間に配置された大気圧未満の圧力の低圧の間隙を含むことと、ＶＩＧ窓ユニットは、前記窓枠の第１係止部と前記窓枠の第２係止部との間に位置することと、ＶＩＧ窓ユニットと窓枠の第１係止部及び第２係止部のうち少なくとも１つの間に提供されることとを含む。
【００１５】
これら及びその他の実施態様及び利点は、本明細書では特定の実施態様例によって、そして以下の図面を参照しながら説明する。図面中、同様の参照符号は、同様の要素を指すものとする。
【図面の簡単な説明】
【００１６】
【図１】従来のＶＩＧユニットの概略断面図である。
【図２】図１の従来のＶＩＧユニットの上部平面図である。
【図３】例示の窓枠内にＩＧ窓ユニットを含む標準ＩＧ窓ユニットのために設計された例示の窓枠の概略部分断面図である。
【図４】少なくとも厚いＩＧ窓ユニットを収容するように設計された窓枠内にＶＩＧ窓ユニットを設置するための本発明の実施形態例に従う、ＶＩＧユニットのスペーサーシステムの概略部分断面図である。
【図５】図４に示したスペーサ構造体のコーナーの部分を拡大した概略断面図である。
【図６】本発明の追加の実施形態例に従う、少なくとも厚いＩＧ窓ユニットを収容するように設計された窓枠内にＶＩＧ窓ユニットを設置するＶＩＧユニットのスペーサーシステムの概略部分断面図である。
【図７】本発明の追加の実施形態例に従う、少なくとも厚いＩＧ窓ユニットを収容するように設計された窓枠内にＶＩＧ窓ユニットを設置するためのＶＩＧユニットのスペーサーシステムの概略部分断面図である。
【図８】図７のスペーサ構造体のコーナーの部分を拡大した概略部分断面図である。
【発明を実施するための形態】
【００１７】
本明細書では以下の図面を参照して特定の実施態様例を詳述する。図面中、複数の図面における同様の参照符号は同様の要素を指すものとする。本明細書に記載の実施態様は、限定ではなく例示を目的とするものであり、また、当業者は、本明細書に添付する特許請求の範囲の真の趣旨及び全範囲を逸脱することなく様々な変更が可能であると考えることができることが分かるであろう。
【００１８】
図３を参照すると、少なくとも標準及び／又は厚いＩＧ窓ユニット３０を収容するように設計された窓枠（例えば、サッシの外形を有する）の概略部分断面図が示されている。ＶＩＧユニット及びスペーサーシステムが、本発明の実施形態例によって図３に示した窓枠及び／又は少なくともＩＧ窓ユニットを収容するように設計された任意のその他の適切な窓枠内に位置するようにする。したがって、本発明の特定の実施形態例において、図４、図６、及び図７に示したスペーサーシステム及びＶＩＧユニット１は、図３に示した窓枠又はＩＧ窓ユニットを収容するように設計された任意のその他の適切な窓枠内に収容される。もちろん、図３を参照すると、ＶＩＧユニット１及びスペーサーシステムが窓枠内に装着されると、ＩＧユニット３０は存在しない。
【００１９】
図３は、ＩＧユニット３０を示し、例えば２つの板ガラス３６の間に空気又は気体を充填した間隙３８を規定する２つの板ガラス３６を含んでいるが、それらに制限されることはない。ＩＧ窓ユニット３０は、窓サッシ３２内／上に配置される。ガラス基板３６の間の間隙３８は、一般的に空気及び／又は気体で充填され（ＶＩＧ窓ユニットと異なる）、ほぼ大気圧であり、内側空間／間隙３８は、周辺スペーサーシステム２９を介して封止される。窓サッシ３２は、主要サッシ部３２の一部に一体型で製造された第１係止部３５、及び第２係止部３４をサッシ部内に規定された凹部３２ａを介してサッシ部３２に接続するためのクリップ又はその他の拡張部３７を含んでもよく、場合によって着脱可能な第２係止部３４を含んでもよい。係止部３４，３５は、窓ユニットの外部端部の下及び／又は隣接して提供される主要サッシ部３２と一体に製造されても一体に製造されなくてもよい。特定の実施形態例において、係止部３４，３５は、例えば、図３に示すように、互いに実質的に平行であってもよい。図３の係止部３４，３５の形状は、例示目的で示されたものであり、その他の形状の係止部が提供されてもよい。例えば、１つ又は２つの係止部３４，３５は、固形部分３３で囲まれた、（例えば、空気又は他の何かで充填された）中空の部分３１を有していても、有していなくてもよい。その他の例示的な実施形態において、１つ又は２つの係止部３４，３５は、窓ユニットのガラス基板に平行な方向に突出した実質的に平面又は平面部を含む、あるいは本質的に平面又は平面部で構成された固形片（例えば、プラスチック、木材、又は、金属）であってもよい。窓ユニットは、係止部３４，３５の間に間接又は直接的に保持及び／又は位置する。
【００２０】
図３を再び参照すると、ＩＧユニット３０は、サッシ部３２によって支持され、その両側の係止部３４，３５によって適所に保持される。係止部３４，３５の間の距離は、好ましくはＩＧユニット３０の厚さに対応する。ＩＧ窓ユニット３０は、やや厚く様々な厚さで提供される（例えば、約１９〜４０ｍｍ、場合によって図３に示した２つのガラス基板の代りに、３枚のガラス基板を用いた場合には、さらに厚くなる）。ＩＧユニット３０は、サッシ部３２内／上に配置されて第１係止部３５と係合する場合、第２係止部３４は、例えば、クリップ又は拡張部３７を介してサッシ３２に接続される。係止部３４，３５は、ＩＧ窓ユニット３０に対して横方向の支持を提供する。サッシ３２及び係止部３４，３５は、任意の好適な物質で製造してもよく、例えば、ＰＶＣ、繊維ガラス、木材、ゴム、アルミニウム、様々な複合材などを含むことができるが、それらに限定されることはない。上記のように、一般的なＩＧユニット３０の幅は、ＩＧ窓ユニットのタイプによって約２０ｍｍ以上の範囲にある。したがって、窓枠の係止部３４，３５の間の間隙は、一般的に少なくとも１９ｍｍ、さらに好ましくは１９〜４０ｍｍ、及び最も好ましくは２０〜３５ｍｍ又は２０〜３０ｍｍなどの同様の範囲内であってもよい。
【００２１】
図４及び図６は、図４及び図６に示すように、少なくとも厚いＩＧ窓ユニット３０を収容するように設計された窓枠内に（例えば、ＩＧ窓ユニット３０を含まない図３の窓枠内）ＶＩＧ窓ユニット１を設置するために、本発明の実施形態例によりＶＩＧ窓ユニット１に接続されるスペーサーシステム／構造体４０の概略部分断面図である。図４の実施形態において、スペーサ構造体４０は、全体の窓構造体の外側に最も近いＶＩＧユニット１の面上に位置する一方、図６の実施形態において、スペーサ構造体４０は、全体の窓構造体の外側から遠く離れたＶＩＧユニット１の面上に位置する。したがって、図４及び図６の実施形態は、スペーサ構造体４０がＶＩＧ窓ユニット１の異なる側に提供されることを除いて類似する。
【００２２】
図４及び図６を再び参照すると、スペーサ構造体４０は、中空スペーサブロック４１を含み、中空スペーサブロック４１は、ＶＩＧユニット１と係止部３４，３５のうちの１つとの間に位置する。図４及び図６に示すように、スペーサ部４１は、実質的に正方形、長方形、及び／又はブロックの形状であってもよく、その他の形状であってもよい。スペーサブロック４１は、プラスチック（例えば、ＰＶＣ）又は任意の異なる適切な物質で構成されてもよく、少なくとも１つの中空領域４３を含んでもよい。少なくとも１つの中空領域４３は、得られた窓ユニット構造体の耐熱性を改善するために、図４及び図６のように、断面として見ると、固形部分４４に囲まれている。特定の実施形態例において、スペーサ構造体のスペーサ部４１は、各々押出ビニル（例えば、１つの押出ビニルストリップ）で製造されてもよい。中空領域４３は、特定の例において、空気通路／チャネルであってもよく、中空領域の端部は、開放されてもよく、開放されなくてもよい。特定の好ましい実施形態において、中空領域４３は、断面として見ると、固形部分４４によって囲まれ、中空領域４３の端部が開放される（すなわち、中空領域４３は、窓ユニットの４つのコーナー各々で開放されて大気圧の状態である）。スペーサ構造体４０は、好ましくは窓ユニットの４つの辺の周りに提供され、４つの対応するストリップ（窓の各側に１つのストリップ）内に提供されてもよく、そのストリップは、各端部で約４５度の角度である。したがって、スペーサ構造体４０の各ストリップの端部は、窓ユニットの各コーナーで互いに組み合わさる。接着ストリップ（例えば、ガラス用テープ、ＶＨＢストリップ、及び／又は湿ったガラス用物質）４５は、スペーサ構造体４０をＶＩＧ窓ユニット１に取付けてＶＩＧユニット１の他の側を係止部３４，３５に取付けるために、ＶＩＧユニット１のガラス基板２，３の外側上に提供されてもよい。特定の実施形態例において、ＶＩＧ窓ユニット１をスペーサ部４１に取付けるための接着剤４５は、図４及び図６に示したスペーサ部４１の１つの壁内に規定された凹部内に提供されてもよい。特定の実施形態例において、このような接着剤４５は、スペーサ部４１をＶＩＧユニット１及び係止部３４，３５に取付けるために図６に示したスペーサ部４１の両面上に提供されてもよい。
【００２３】
図４及び図６を再び参照すると、スペーサ部４１は、係止部３４，３５とＶＩＧユニット１との間に規定された間隙内に収容される。例えば、図４は、着脱可能な係止部３４とＶＩＧ窓ユニット１との間に装着されたスペーサブロック４１を示す。また、図６は、一体型係止部３５及びＶＩＧ窓ユニット１の間に装着されたスペーサブロック４１を示す。特定の実施形態例において、ＶＩＧ窓ユニット１及びスペーサ部４１は、２つともセッティング部材、例えば、セッティングブロック４２上に装着される。セッティングブロック４２は、主要サッシ部３２上に、主要サッシ部３２とＶＩＧユニット１との間に、また、図４及び図６に示すように主要サッシ部３２とスペーサ部４１との間に位置する。特定の実施形態例において、主要サッシ部３２は、中空領域３２ｂを含んでもよく中空領域は、空気、発泡体、又は、その他の断熱材で充填することもしないこともでき、図４及び図６に示した固形部分によって囲まれている。
【００２４】
特定の実施形態例において、スペーサ部４１は、２つのコーナー４１ｂを含み、２つのコーナーは、ＶＩＧ窓ユニット１のガラス基板のうちの１つに対向して接触する。選択的に、接着剤４５は、これらのコーナー４１ｂの間に配置されてもよい。特定の実施形態例において、スペーサ部４１のコーナー４１ｂの一方又は両方は、軟性物質４１ｅ及び硬性物質４１ｆを含み、コーナーの部分４１ｂの軟性物質４１ｅは、ＶＩＧ窓ユニット１に接触するために用いられる（例えば、図４〜図６参照）。スペーサ部４１は、２つの異なる物質（４１ｅ及び４１ｆ）で共押出されてもよく、軟性ポリマー系物質４１ｅは、押出工程において、硬性ポリマー系物質４１ｆに取付ける。ＶＩＧ窓ユニットに接触するためにスペーサ構造体の軟性物質４１ｅを用いれば、例えば、スペーサ構造体が全体の窓構造体の外側上に用いられる場合、ＶＩＧユニット１のガラスに対して改善されたシールを提供する。
【００２５】
例えば、図４〜図６を参照すると、ＶＩＧ窓ユニット１及びスペーサ構造体４０は、ＩＧ窓ユニット３０の代わりに、図３に示した窓枠のような窓枠内に提供される。この点で、図４及び図６は、標準ＩＧ窓ユニットのために設計された図３の窓枠内に装着されたＶＩＧ窓ユニット１及びスペーサ構造体４０を示す。したがって、スペーサ構造体４０及びＶＩＧ窓ユニット１は、図３の窓枠内のＩＧ窓ユニット３０を交換するために用いてもよく、図４〜図６に示した構造体は、ＩＧ窓ユニット３０の代わりに図３に示した例示の窓枠のような窓枠内に提供されてもよい。特に、ＶＩＧ窓ユニット１及びスペーサ構造体４０は、係止部３４，３５の間にサッシ部３２上の図３の窓枠内に提供される。図３に示したＩＧ窓ユニット３０は、図４〜図６に示したＶＩＧ窓ユニット１及びスペーサ構造体４０で交換され、スペーサ部４１の外壁４７は、ＶＩＧユニット１及び係止部３４，３５に接触又は接着される。ＶＩＧ窓ユニット１は、ＩＧ窓ユニット３０よりはるかに薄いため、スペーサ構造体の厚さによって、ＶＩＧ窓ユニット１が少なくとも厚いＩＧ窓ユニット３０を収容するように設計された窓枠（例えば、図３の窓枠）内に設けることができる。
【００２６】
図７〜図８は、本発明の追加の実施形態例に係るＶＩＧ窓ユニット１に接続するためのスペーサーシステム／構造体５０の概略部分断面図である。スペーサーシステム／構造体５０は、少なくとも厚いＩＧ窓ユニット３０を収容するように設計された窓枠（例えば、ＩＧ窓ユニット３０が含まれない図３の窓枠）内にＶＩＧユニット１を設置するために用いられる（図４〜図６に示したＶＩＧユニット及びスペーサ構造体は、図３窓枠内に装着されるのと同一）。スペーサ構造体５０は、ＶＩＧ窓ユニット１の対向側に取付ける第１及び第２部分（４１及び４１'）を含む。部分（４１及び４１'）は、異なる実施形態でＶＩＧユニット１下側に延びていても、延びていなくてもよい（図７に図示なし）。部分（４１及び４１'）は、プラスチック（例えば、ＰＶＣ）又は任意のその他の適切なポリマー系物質で構成されてもよく、各々は、少なくとも１つの中空領域４３を含む。中空領域４３は、窓ユニットの耐熱性を改善するために、図７のように断面として見ると、各々固形部分４４で囲まれている。特定の好ましい実施形態において、中空領域４３は、断面として見ると、固形部分４４によって囲まれ、中空領域４３の端部が開放されている（すなわち、中空領域４３は、窓ユニットの４つのコーナー各々で開放されており、大気圧の状態である）。中空領域４３は、特定の例において、空気通路／チャネルであってもよく、その端部は、開放されていてもよく、開放されていなくてもよい。スペーサ構造体５０は、好ましくは窓ユニットの４つの辺の周りに提供され、４つの辺に対応するストリップ（窓の各側に対する１つのストリップ）は、図４〜図６で上述したように、端部で約４５度の角度である。接着ストリップ４５は、スペーサ部４１，４１'をＶＩＧ窓ユニット１に取付けて窓枠の各々の係止部３４，３５に取付けるためにスペーサ部４１，４１'の内側及び／又は外側上に提供されてもよい。ＶＩＧユニット１は、図７に示した部分（４１及び４１'）の間に規定されたチャネル５６に収容される。例えば、図７は、スペーサ構造体の対向する部分（４１及び４１'）の間のチャネル内に装着されたＶＩＧ窓ユニット１を示す。ＶＩＧ窓ユニット１及びスペーサ構造体５０（４１、４１'、及び選択的に４２を含む）は、ＩＧ窓ユニット３０の代わりに、図３に示した窓枠のような窓枠内に提供される。したがって、ＶＩＧ１及びスペーサ構造体５０は、図３の窓枠内にＩＧ窓ユニット３０を交換するために用いてもよく、ＶＩＧ１及びスペーサ構造体５０は、ＩＧ窓ユニット３０の代わりに図３に示した例示の窓枠のような窓枠内に提供されてもよい。特に、ＶＩＧ窓ユニット１及びスペーサ構造体５０は、係止部３４，３５の間にサッシ部３２上の図３の窓枠内に提供される（図４〜図６の実施形態と似ているということ）。図３内のＩＧ窓ユニット３０は、ＶＩＧ窓ユニット１及びスペーサ構造体５０で交換され、スペーサ部４１，４１'の外壁は、各々係止部３４，３５の内面に（直接又は間接的に）接触又は接着され、スペーサ部４１，４１'の内壁は、ＶＩＧ窓ユニット１に接触又は接着される。ＶＩＧ窓ユニット１は、ＩＧ窓ユニット３０よりはるかに薄いため、図７〜図８に示したスペーサ構造体５０の��さによって、ＶＩＧ窓ユニット１が少なくとも厚いＩＧ窓ユニット３０を収容するように設計された窓枠（例えば、図３の窓枠）内に設けられることができる。
【００２７】
中空スペーサ部４１，４１'は、図７に示した実質的に長方形形状であってもよい。また、スペーサ部４１，４１'は、実質的にＬ字状であってもよく、各々の一方の側は、ＶＩＧユニット１下側に延びてＶＩＧユニットとサッシ部３２との間に位置する。セッティング部材４２が存在して中空スペーサ部４１，４１'が実質的にＬ字状の場合、Ｌ字状スペーサ部４１，４１'の各々の一方の側は、ＶＩＧユニット１の下側に延びてＶＩＧユニット１とセッティング部材４２との間に位置する。セッティング部材４２は、本発明の特定の実施形態例において、実質的に平面形状であってもよい。また、中空スペーサ部４１，４１'が実質的にＬ字状の場合、スペーサ部４１，４１'の各々の中空領域４３は、図７に示したＶＩＧユニット１の面に沿って延びるが、ＶＩＧユニット１の下側に延びていても、延びていなくてもよい（すなわち、中空領域は、実質的にＬ字状スペーサ部４１，４１'のＬの一面のみ又は両面に提供されてもよい）。
【００２８】
図７〜図８を参照すると、スペーサ部４１，４１'の一方又は両方は、ＶＩＧ窓ユニット１のガラス基板２，３のうちの１つに接触対向する２つのコーナー４１ｂを含んでもよい。選択的に、接着剤４５は、所定のスペーサ部のコーナー４１ｂの間に配置されてもよい。特定の実施形態例において、各々のスペーサ部のコーナー４１ｂの一方又は両方は、軟性物質４１ｅ及び硬性物質４１ｆ（スペーサ部のバルクは、４１ｆで製造される）を含んでもよくコーナーの部分４１ｂの軟性物質４１ｅは、ＶＩＧユニット１に接触するために用いられる（例えば、図７〜図８参照）。スペーサ部４１，４１'は、２つの異なる物質（４１ｅ及び４１ｆ）で共押出されてもよく、軟性ポリマー系物質４１ｅは、押出工程において硬性ポリマー系物質４１ｆに接着される。ＶＩＧ窓に接触するためにスペーサ部の軟性物質４１ｅを用いれば、ＶＩＧユニット１のガラスに改善されたシールを提供する。
【００２９】
また、図３〜図６を参照すると、本発明の特定の実施形態において、窓ユニットを提供し、窓ユニットは、窓枠内のＶＩＧ窓ユニット（窓枠は、ＶＩＧ窓ユニットより大きい厚さを有する非真空ＩＧ窓ユニットを支持できる）と、第１ガラス基板、第２ガラス基板、及びその間に配置された大気圧未満の圧力の低圧の間隙を含むＶＩＧ窓ユニットと、前記窓枠の第１係止部によって第１主面上に直接支持されて前記窓枠の第２係止部によって第２主面上に間接的に支持されるＶＩＧ窓ユニット（スペーサは、ＶＩＧ窓ユニットと第２係止部との間に提供されるＶＩＧ窓ユニットの第２主面上に提供されるが、いかなる類似のスペーサもＶＩＧ窓ユニットの第１主面上には提供されない）とを含む。例えば、図３〜図５を参照すると、窓ユニットを提供して、窓ユニットは、窓枠内のＶＩＧ窓ユニット１（窓枠は、ＶＩＧ窓ユニット１より大きい厚さを有する非真空ＩＧ窓ユニット３０を支持できる）と、第１ガラス基板２、第２ガラス基板３、及びその間に配置された大気圧未満の圧力の低圧の間隙６を含むＶＩＧ窓ユニット１と、前記窓枠の第１係止部３５によって第１主面上に直接支持されて前記窓枠の第２係止部３４によって第２主面上に間接的に支持されるＶＩＧ窓ユニット１（スペーサ４１は、ＶＩＧ窓ユニット１と第２係止部３４との間に提供されるＶＩＧ窓ユニット１の第２主面上に提供されるが、いかなる類似のスペーサ４１もＶＩＧ窓ユニット１と第１係止部３５との間に提供されるＶＩＧ窓ユニット１の第１主面上には提供されない）と、含む。
【００３０】
直前の段落の窓ユニットにおいて、スペーサ４１は、断面として見ると、固形部分４４によって囲まれた中空領域４３を含んでもよい（図４〜図６参照）。中空領域４３は、実質的に空気、発泡体、及び／又はその他の断熱材で充填してもよい。
【００３１】
前記２つの段落のいずれかに記載の窓ユニットにおいて、ＶＩＧ窓ユニット１と第１係止部との間のＶＩＧ窓ユニット１の第１主面上には、スペーサが必要でない。選択的に、接着剤４５がＶＩＧ窓ユニットと第１係止部との間にＶＩＧ窓ユニットの第１主面上に提供されてもよい。
【００３２】
前記３つの段落のいずれかに記載の窓ユニットにおいて、ＶＩＧ窓ユニットは、周囲４辺を含んでもよく、スペーサ４１は、実質的にＶＩＧ窓ユニットの周囲４辺全てに沿って提供されてもよい。スペーサ４１は、実質的にＶＩＧ窓ユニット１の周囲４辺の各々に沿って提供される４つのストリップ片で構成してもよい。
【００３３】
前記４つの段落のいずれかに記載の窓ユニットにおいて、接着剤４５は、ＶＩＧ窓ユニット１と第１係止部３４，３５との間に位置するようにＶＩＧ窓ユニットの第１主面上に提供されてもよい。
【００３４】
前記５つの段落のいずれかに記載の窓ユニットにおいて、第１係止部３５及び第２係止部３４は、互いにほぼ平行な方向に延びてもよい。
【００３５】
前記６つの段落のいずれかに記載の窓ユニットにおいて、第１係止部３５及び第２係止部３４のうち少なくとも１つは、断面として見ると、固形部分３３によって囲まれた中空の空間３１を含んでもよく係止部の中空の空間３１は、空気及び／又は発泡体で充填又は実質的に充填される。
【００３６】
前記７つの段落のいずれかに記載の窓ユニットにおいて、スペーサ４１は、断面として見ると、ほぼ長方形の形状を有してもよい（例えば、図４〜図６参照）。
【００３７】
前記８つの段落のいずれかに記載の窓ユニットにおいて、スペーサ４１の第１及び第２コーナー４１ｂは、ＶＩＧ窓ユニット１に直接接触してもよい。選択的に、スペーサの第１及び第２コーナー４１ｂの間に位置してＶＩＧ窓ユニット１に対向するスペーサ４１の一部（例えば、接着剤４５が位置する凹部におけるスペーサ部を参照）は、選択的にＶＩＧ窓ユニット１に直接接触しない（例えば、接着剤４５がその間に提供されないため）。スペーサ４の第１及び第２コーナー４１ｂのうち少なくとも１つは、第１ポリマー系物質４１ｅ及び第２ポリマー系物質４１ｆを含んでもよく第１ポリマー系物質４１ｅは、第２ポリマー系物質４１ｆより軟質であり、第２ポリマー系物質４１ｆでない第１ポリマー系物質４１ｅは、直接スペーサ４１の前記コーナー４１ｂでＶＩＧ窓ユニット１に直接接触する（例えば、図５に硬性及び軟性の物質が示される。図４〜図６参照）
【００３８】
前記９つの段落のいずれかに記載の窓ユニットにおいて、ＶＩＧ窓ユニットは、第１ガラス基板２と第２ガラス基板３との間の低圧の間隙６内に位置する複数のスペーサ５、及び実質的に低圧の間隙６を大気圧未満圧力で保持するためにＶＩＧユニット１の周辺を気密封止するように第１ガラス基板２と第２ガラス基板３との間に（直接又は間接）提供された端部シール４を含む。
【００３９】
前記１０個の段落のうちいずれか１つの窓ユニットは、（ｉ）ＶＩＧ窓ユニット１と窓ユニットのサッシ部３２との間及び（ｉｉ）スペーサ４１と窓ユニットのサッシ部３２との間に位置するセッティング部材４２を含んでもよい。セッティング部材４２（例えば、セッティングブロック）は、ＶＩＧ窓ユニット１及びスペーサ４１の下で図４〜図６に示した窓ユニットの底面に配置されてもよい。
【００４０】
前記１１個の段落のいずれかに記載の窓ユニットにおいて、ＶＩＧ窓ユニット１は、厚さが約４〜１２ｍｍであってもよく、第１及び第２係止部（３５及び３４、又は、その反対）の間の間隙は約１９〜４０ｍｍであってもよい。
【００４１】
本発明の特定の実施形態例は、例えば従来の窓設計（窓サッシを含む）をほぼ変更せずに、複数の非真空断熱ガラス窓ユニットとＶＩＧ窓ユニットとの間の厚さの差を埋める窓ユニット向けにプロファイルし直した交換窓係止部を用いてもよく、用いないこともできる。例えば、本発明は、２０１２年７月５日に出願された第１３／５４１，８４０号に記載されたプロファイルし直した交換窓に用いても用いなくてもよく、本明細書に参照として含まれる。
【００４２】
本発明の特定の実施形態において（図７〜図８参照）、窓ユニットが提供され、窓ユニットは、窓枠内のＶＩＧ窓ユニット１（窓枠は、ＶＩＧ窓ユニット１より大きい厚さを有する非真空ＩＧ窓ユニット３０を支持できる）と、第１ガラス基板２、第２ガラス基板３、及びその間に配置された大気圧未満の圧力の低圧の間隙６を含むＶＩＧ窓ユニット１と、前記窓枠の第１係止部３４，３５と前記窓枠の第２係止部（３４又は３５の他の１つ）との間に位置するＶＩＧ窓ユニット１と、ＶＩＧ窓ユニット１と第１係止部との間に提供された第１スペーサ（４１又は４１'）、及びＶＩＧ窓ユニット１と第２係止部との間に提供された第２スペーサ（４１，４１'のうち他の１つ）とを含む。
【００４３】
直前の段落の窓ユニットにおいて、第１及び第２スペーサ（４１及び／又は４１'）の一方又は両方は、断面として見ると、固形部分４４によって囲まれた中空領域４３を含んでもよい。中空領域４３は、空気、発泡体、及び／又は断熱材で充填してもよい。
【００４４】
前記２つの段落のいずれかに記載の窓ユニットにおいて、ＶＩＧ窓ユニット１は、周囲４辺を含んでもよく、第１及び第２スペーサ（４１，４１'）は、各々実質的にＶＩＧ窓ユニットの周囲４辺全てに沿って提供されてもよい。
【００４５】
前記３つの段落のいずれかに記載の窓ユニットにおいて、第１スペーサ及び第２スペーサは、各々ＶＩＧ窓ユニットの周囲４辺の各々に沿って実質的に提供される４つのストリップ片を含んでもよい。
【００４６】
前記４つの段落のいずれかに記載の窓ユニットにおいて、接着剤４５は、ＶＩＧ窓ユニット１と各々の第１及び第２スペーサの間に提供されてもよい。
【００４７】
前記５つの段落のいずれかに記載の窓ユニットにおいて、第１及び第２スペーサは、断面として見ると、各々ほぼ長方形の形状を有してもよい（例えば、図７参照）
【００４８】
前記６つの段落のいずれかに記載の窓ユニットにおいて、第１及び第２スペーサ（４１，４１'）の各々の少なくとも１つのコーナー４１ｂは、ＶＩＧ窓ユニット１に直接接触してもよい。ＶＩＧ窓ユニットに直接接触するコーナーの少なくとも１つは、第１ポリマー系物質４１ｅ及び第２ポリマー系物質４１ｆを含んでもよく、第１ポリマー系物質４１ｅは、第２ポリマー系物質４１ｆより軟質であり、第２ポリマー系物質４１ｆでない第１ポリマー系物質４１ｅは、直接スペーサのコーナーでＶＩＧ窓ユニット１に接触する。
【００４９】
前記７つの段落のいずれかに記載の窓ユニットにおいて、ＶＩＧ窓ユニット１は、第１ガラス基板２と第２ガラス基板３との間の低圧の間隙６内に位置する複数のスペーサ５、及び実質的に低圧の間隙６を大気圧未満圧力で保持するためにＶＩＧユニット１の周辺を気密封止するように第１ガラス基板２と第２ガラス基板３との間に提供された端部シール４を含んでもよい。
【００５０】
前記８つの段落のうちいずれか１つの窓ユニットは、サッシ部３２の少なくとも一部上の窓ユニットの底面に位置するセッティング部材４２を含んでもよくセッティング部材４２は、第１及び第２スペーサ（４１，４１'）及びＶＩＧユニット１下に位置する。
【００５１】
前記９つの段落のいずれかに記載の窓ユニットにおいて、ＶＩＧ窓ユニットは、厚さが約４〜１２ｍｍであってもよく、第１係止部３５と第２係止部３４との間の間隙は、約１９〜４０ｍｍであってもよい。
【００５２】
本明細書では特定の実施形態について説明及び開示してきたが、本明細書に記載の実施態様は、限定ではなく例示を目的とするものであり、また、当業者は、本明細書に添付する特許請求の範囲の真の趣旨及び全範囲を逸脱することなく様々な変更が可能であると考えることができることが分かるであろう。
【図１】
0006495170.tif 000002
【図２】
0006495170.tif 000003
【図３】
0006495170.tif 000004
【図４】
0006495170.tif 000005
【図５】
0006495170.tif 000006
【図６】
0006495170.tif 000007
【図７】
0006495170.tif 000008
【図８】
0006495170.tif 000009